【事件の表示】
　特許第３２５１５３６号「脂取り紙およびその製造法」の請求項１ないし７に係る特許に対する特許異議の申立てについて、次のとおり決定する。
【結　論】
　訂正を認める。
　特許第３２５１５３６号の請求項１ないし６に係る特許を維持する。
【理　由】
１．手続きの経緯
　本件特許第３２５１５３６号の請求項１〜７に係る発明についての出願は、平成９年９月５日に出願され、平成１３年１１月１６日にその設定登録がなされ、その後、その請求項１〜７に係る発明の特許について、特許異議申立人小林広史より特許異議の申立てがなされ、取消理由が通知され、その指定期間内である平成１６年１月１３日に特許異議意見書と訂正請求書が提出され、特許異議申立期間の期間経過後である平成１６年３月４日に特許異議申立人より上申書が提出され、手続補正指令（方式）と訂正拒絶理由が通知され、その指定期間内である平成１６年４月２９日に手続補正書（方式）と訂正請求書を補正する手続補正書が提出されたものである。
　
２．訂正の適否についての判断
（１）訂正請求に対する補正の適否について
　平成１６年４月２９日の手続補正は、訂正請求書第３頁第１３行〜第４頁第１１行記載の訂正事項（６）〜訂正事項（９）を削除するものであるから、当該補正は、訂正請求書の要旨を変更するものではなく、特許法第１２０条の４第３項において準用する特許法第１３１条第２項の規定に適合する。
　
（２）訂正の内容
　平成１６年４月２９日に補正された本件訂正請求に係る訂正の具体的内容は、次のとおりである。
　
訂正事項１：
　特許請求の範囲の請求頃１を
「【請求項１】脂取り紙を構成する原紙がコラーゲンを混合溶解した水分を与えながらカレンダー加工されており、また、これらの原紙が所望枚数を一束として束面から叩かれている脂取り紙。」 に訂正する。
　
訂正事項２：
　特許請求の範囲の請求項４を削除する。
　
訂正事項３：
　特許請求の範囲の請求項５を
「【請求項４】原紙にコラーゲンを混合溶解した水分を与えながらカレンダー加工し、これらの原紙の所望枚数を一束として束面から叩く脂取り紙の製造法。」に訂正する。
　
訂正事項４：
　特許請求の範囲の請求項６を
「【請求項５】原紙を束面から叩く際に上記原紙にこの原紙より堅い補助用シート状物を介装する請求項４記載の脂取り紙の製造法。」に訂正する。
　
訂正事項５：
　特許請求の範囲の請求項７を
「【請求項６】原紙の原料を所望の漉き模様で漉き、乾燥させて原紙を形成する請求項４または５記載の脂取り紙の製造法。」に訂正する。
　
（３）訂正の目的の適否、新規事項の有無及び拡張・変更の存否
　上記訂正事項１は、特許明細書の段落【００１０】、【００１１】、【００１３】、【００１７】、【００１８】、【００１９】、【００２１】等の記載に基づき、脂取り紙を構成する原紙が特定の条件でカレンダー加工され、所望枚数を一束として束面から叩かれたものであることを技術的に限定し、原紙の平滑度が高められた状態であること、及びコラーゲンが効率的に含有されたものであることを特定し、脂取り紙を特定の脂取り紙に限定したものであるから、特許請求の範囲の減縮を目的とするものと認められる。
　上記訂正事項２は、特許請求の範囲の請求項を削除するものであり、特許請求の範囲の減縮を目的とするものと認められる。
　上記訂正事項３〜５は、上記訂正事項２の訂正に伴い、請求項番号を繰り上げると共に引用請求項番号の整合性を図るものであるから、明りょうでない記載の釈明を目的とするものと認められる。
　そして、上記訂正事項１〜５の訂正は、いずれも願書に添付した明細書又は図面に記載した事項の範囲内においてしたものであって、実質的に特許請求の範囲を拡張し又は変更するものでもない。
　
（４）むすび
　以上のとおりであるから、上記訂正は、特許法第１２０条の４第２項及び同条第３項において準用する特許法第１２６条第２項から第４項までの規定に適合するので、当該訂正を認める。
　
３．特許異議申立てについて
（１）特許異議申立の理由の概要
　特許異議申立人小林広史は、甲第１号証（特開平５−３４４９１３号公報）、甲第２号証（登録実用新案第３０１６７３６号公報）、甲第３号証（実願昭６０−１２６３０号（実開昭６１−１３０１１２号）のマイクロフィルム）、甲第４号証（茂利文夫編「ＦＲＡＧＲＡＮＣＥ　ＪＯＵＲＮＡＬ」（フレグランス　ジャーナル）Ｎｏ．６１（Ｖｏｌ．１１、Ｎｏ．４）（１９８３）フレグランス　ジャーナル社、昭和５８年７月２５日、ｐ．１５３−１５４）、甲第５号証（特開平９−１２１９３９号）、甲第６号証（「紙およびパルプ製造法　第６巻」中外産業調査会発行、昭５５（１９８０）（九州大学付属図書館印）、ｐ．７７８−７７９）、甲第７号証（松岡義直著「板紙の製造」株式会社紙業タイムス社、昭和４８年３月３１日、ｐ．３３２−３３３）及び甲第８号証（「紙パルプ技術便覧」紙パルプ技術協会、１９９２年１月３０日、ｐ．２７８−２７９）を提出し、
［理由１］訂正前の本件請求項１に係る発明は、甲第１〜４号証に記載された発明に基いて、訂正前の本件請求項２〜４に係る発明は、甲第１〜５号証に記載された発明に基いて、さらに訂正前の本件請求項５〜７に係る発明は、甲第１〜８号証に記載された発明に基いて、当業者が容易に発明をすることができたものであり、特許法第２９条第２項の規定により特許を受けることができないものであるから、
　
［理由２］訂正前の本件請求項１〜７に係る発明の特許は、特許法第３６条第４項及び同条第６項第２号に規定する要件を満たしていない特許出願に対してなされたものであるから、
　
　該訂正前の本件請求項１〜７に係る発明の特許を取り消すべき旨主張している。
　
　
（２）取消理由の概要
　当審において通知した平成１５年１０月３０日付け取消理由通知書の取消理由の概要は、訂正前の本件請求項１〜４に係る発明は、刊行物１（特開平７−２５０７７９号公報）、刊行物２（登録実用新案第３００９８５６号公報）及び刊行物３（特開平９−１２１９３９号公報）（甲第５号証）に記載された発明に基いて、当業者が容易に発明をすることができたものであり、特許法第２９条第２項の規定により特許を受けることができないものであるから、訂正前の本件請求項１〜４に係る発明の特許は取り消されるべきである、というものである。
　
（３）本件請求項１〜６に係る発明
　上記２．で示したとおり、上記訂正が認められるから、本件請求項１〜６に係る発明（以下、それぞれ「本件発明１〜６」という。）は、手続補正書により補正された訂正明細書の特許請求の範囲の請求項１〜６に記載された事項により特定される次のとおりのものである。
　
【請求項１】脂取り紙を構成する原紙がコラーゲンを混合溶解した水分を与えながらカレンダー加工されており、また、これらの原紙が所望枚数を一束として束面から叩かれている脂取り紙。
【請求項２】所望の漉き模様を有する請求項１記載の脂取り紙。
【請求項３】脂取り紙を構成する原紙の原料成分が、植物繊維、動物繊維から選択され、必要に応じて無機質填料が添加される請求項１または請求項２記載の脂取り紙。
【請求項４】原紙にコラーゲンを混合溶解した水分を与えながらカレンダー加工し、これらの原紙の所望枚数を一束として束面から叩く脂取り紙の製造法。
【請求項５】原紙を束面から叩く際に上記原紙にこの原紙より堅い補助用シート状物を介装する請求項４記載の脂取り紙の製造法。
【請求項６】原紙の原料を所望の漉き模様で漉き、乾燥させて原紙を形成する請求項４または５記載の脂取り紙の製造法。
　
（４）甲各号証に記載の事項
　甲第１号証
ア．「【請求項１】米ぬかと乳の成分を含有し、叩打された薄い和紙で成形した化粧用紙。」（請求項１）
イ．「【発明が解決しようとする課題】そこで、本発明は高付加価値を有する薄手の和紙を原料とした化粧用紙及びその製造を確実に為し得る製造方法を提供せんとするものである。」（段落【０００３】）
ウ．「【作用】米ぬか及び乳は肌に良好であることは周知であり、ハトロン紙は強靭な紙である。・・・又、間接的でも叩打による押圧は和紙の組織に一層の柔軟性、高密度性を付与する。更に乳は肌の滋養作用と同時に和紙へ光沢を付与するものである。」（段落【０００５】〜【０００６】）
エ．「ハトロン紙と和紙とを積層した束を、約８キログラムのハンマー機で毎分１５０乃至２００回で約１０分間叩打すると、ハトロン紙と和紙は充分に密着し、ハトロン紙に含有する米ぬかと牛乳の成分が和紙へ転着するのである。・・・」（段落【００１０】）
オ．「【発明の効果】以上のように、本発明は肌の滋養に資する米ぬかと乳の成分を含有する紙であるから、化粧用として最適であり、薄い和紙を使用したため、肌触りが良好で扱い易い効果を有する。そして、叩打してあるため柔軟性があり、高密度となり、・・・」（段落【００１２】）
　
　甲第２号証
カ．「【請求項１】柔軟性を有し、かつ高密度とした紙材に純金箔が散着して成ることを特徴とする化粧用脂取紙。」（請求項１）
キ．「本考案の脂取紙に散着した純金箔は、金イオンによる殺菌作用及び金属微粒子−の吸脂性の作用を奏するのであり、・・・高級感を視覚に訴える作用を奏するのである。
　　【０００９】
　　【実施例】
　化粧用脂取紙の製造は原紙に物理的衝撃を与え、又は機械的に加工して柔軟性及び高密度化を図ることによって行う・・・
　すなわち、適当な大きさとした原紙を数百枚重ねて束ね、ハンマーを機械的に昇降させ、原紙束を２０ｋｇ程度の圧力で束面を満遍なく叩打することで得られ」（段落【０００８】〜【０００９】）
ク．「以上のように、本考案は柔軟性を有し、かつ高密度とした紙材に純金箔を散着したことによって、金属の吸脂性と共に原紙の吸脂性が相俟って吸脂効果を高め、又金イオンの作用による殺菌力も発揮し、・・・」（段落【００１１】）
　
　甲第３号証
ケ．「合成樹脂フィルム（１）の片面に、若い牛の真皮組織をペプシン処理して得たコラ−ゲン層（２）を塗布し、その表面に剥離紙（３）を設けてなる皺取り用フイルム。」（実用新案登録請求の範囲）
コ．「コラ−ゲン層（２）が皮膚に残存する水分を吸収して湿潤膨潤して密着するものであり、・・・本考案は合成樹脂フィルム（１）の片面に、若い牛の真皮組織をペプシン処理して得たコラーゲン層（２）を塗布してあるから、皮膚から蒸発する水分でコラーゲンの有効成分が皮膚に深く浸透し浸潤して皺を伸すことができるものである。」（明細書第３頁９行〜第４頁１行）
　
　甲第４号証
サ．甲第４号証には、顔面パック用の「コラーゲン・フェシァルマスク」（ＣＦＭ）は、肌（皮膚）に対する保湿効果（作用）があり、水分の強力な保水能力と、これを保留して膨潤化する機能により、天然の水に対して可溶なコラーゲンペプチドのコンビネーションによって、肌への浸透性（経皮吸収性）を良好となしている、ことが記載されている。（第１５３頁）
　
　甲第５号証
シ．「【請求項１】 植物繊維パルプ・・・を主成分とする中間層と、植物繊維パルプを主成分とする保護層とを具えて成り、前記中間層を挟んでその両面に前記保護層を個別に設けることにより、三層積層構造を形成して成ることを特徴とする多機能を有する化粧用紙。」（請求項１）
ス．「本発明は、顔面などの皮膚表面に分泌された皮脂や汗を拭き取るのに利用される吸汗性機能を有した多機能を有する化粧用紙に関するものである。」（段落【０００１】）
セ．「以下上記中間層２の主成分である植物繊維パルプ・・・保護層３の主成分である植物繊維パルプについて詳細に説明する。まず保護層３の主成分である植物繊維パルプについて説明する。このものとしては、木材パルプ、マニラ麻パルプ、ケナフパルプなどの植物繊維パルプが適用でき、これらの一つを単独、あるいはこれらの幾つかを混合して使用する。・・・この他タルク、炭酸カルシウムなどの無機填料、・・・等を内添あるいは塗工方式によって付与したり、」（段落【００２０】抜粋）
ソ．「中間層２には、・・・中間層２の補強を目的に木材パルプ、マニラ麻パルプなどの植物繊維パルプが・・・配合される。・・・この他、タルク、炭酸カルシウムなどの無機填料・・・等を内添あるいは塗工によって付与・・・することも可能である。」（段落【００２４】）
タ．「そして本発明の・・・化粧用紙１は・・・中間層２を挟んでその両面に保護層３を個別に設けることにより三層積層構造を形成してなる。一例としてこれら各層は三層抄き合わせ抄紙機により形成されるものであって・・・また例えば抄紙工程において透かし模様の形成加工を施すことも可能である。・・・
　更に必要に応じて例えば抄紙後において、所望の吸水性を損なわない範囲内でスーパーキャレンダー加工等の高密度化処理を行うことも可能である」（段落【００２６】抜粋）
　
　甲第６号証
チ．甲第６号証には、ウォータボックスには高い仕上がりと高い平滑度を与えるために、一定水位の水を入れた浅い箱が配置されること、これによりロールは、ニップの入口側で湿って紙に接触し、紙を湿らすことになり、仕上度が高くなること、このようなウォータボックスはマシンカレンダにごく普通にとりつけられ、ウォータボックスにはワックス、でん粉などの水以外の物資も使われること、が記載されている。（第７７８〜７７９頁）
　
　甲第７号証
ツ．甲第７号証には、板紙抄紙機の場合、ウォーターボックスと呼ばれる表面サイジング設備をカレンダーに装備すること、ウォーターボックスは単なる水を使用する場合もあること、が記載されている。（第３３２〜３３３頁）
　
　甲第８号証
テ．甲第８号証には、カレンダーは抄紙機の最後部に位置し、紙の平滑度と紙厚を調整し均一化を図ることが目的の装置であること、カレンダーロールの材質としては一般にチルドロールが使用されること、また、ソフトカレンダーはオフマシンのスーパーカレンダーと同程度の硬度であり、チルドロールカレンダーと比較して低密度で平滑度の水準を上げられ良好な光沢を得られるため、マシンカレンダーに採用されることが多くなってきたこと、などが記載されている。（第２７８〜２７９頁）
　
（５）当審の判断
（５−１）取消理由について
　当審において通知した取消理由（３．（２）取消理由の概要参照）は、訂正前の請求項１〜４に係る発明（本件発明１〜３に相当）が、刊行物１〜３に記載された発明に基いて、当業者が容易に発明をすることができたものであり、特許法第２９条第２項の規定により特許を受けることができない、というものである。
　しかしながら、本件発明１は、上記訂正により、要件Ａ「脂取り紙を構成する原紙がコラーゲンを混合溶解した水分を与えながらカレンダー加工」することを発明を特定する事項（以下、「発明特定事項」という。）として含むものとなった。
　そして、この発明特定事項である要件Ａについては刊行物１〜３に記載も示唆もなく、当該取消理由については、上記訂正によって解消し、もはや取消理由は存在しないものとなった。　
　
（５−２）特許異議申立てについての判断
（５−２−１）［理由１］について
（本件発明１について）
　本件発明１は、上記３．（３）のとおり、「脂取り紙を構成する原紙がコラーゲンを混合溶解した水分を与えながらカレンダー加工されており、また、これらの原紙が所望枚数を一束として束面から叩かれている脂取り紙。」であり、要件Ａを発明特定事項として含むものである。
　これに対して、甲第１号証には、ハトロン紙と和紙とを積層した束をハンマー機で叩打して、ハトロン紙に含有する米ぬかと牛乳の成分を和紙へ転着させた化粧用紙（上記ア〜オ）が記載され、甲第２号証には、純金箔を散着した原紙を数百枚重ねて束ね、ハンマーで叩打した化粧用脂取紙が金イオンによる殺菌作用を発揮すること（上記カ〜ク）が記載され、甲第３号証には、合成樹脂フィルムの片面にコラ−ゲン層を塗布した皺取り用フイルム（上記ケ〜コ）が記載され、甲第４号証には、顔面パック用のコラーゲン・フェシャルマスクが水分の強力な保水能力と肌への浸透性を良好となしていること（上記サ）が記載されていると認められるが、甲第１〜４号証のいずれにも、本件発明１の発明特定事項である要件Ａが記載されておらず、かかる事項を示唆する記載もない。
　この点について、異議申立人は、発明特定事項である要件Ａに対する主張として、脂取り紙に対してスーパーキャレンダー加工等の高密度化処理を行うことは甲第５号証に記載され、一方、甲第６号証には、カレンダーにごく普通にとりつけられるウォータボックスにはワックス、でん粉などの水以外の物資も使われることが記載され、また、甲第７号証にも、ウォーターボックスと呼ばれる表面サイジング設備をカレンダーに装備することが記載されているから、原紙にコラーゲンを付与するためにはウォータボックスにコラーゲンを混入させればよいことは甲第６号証及び甲第７号証の記載から示唆され、上記発明特定事項である要件Ａが想到容易である旨主張する。
　そこで、この主張について検討すると、脂取り紙等の原紙にキャレンダー加工を行うときには、ウォーターボックスが普通に用いられていると認められる。しかしながら、ウォータボックスにコラーゲンを混入させてカレンダー加工を行うことは甲第５〜７号証のいずれにも記載も示唆もない。
　してみると、上記発明特定事項は甲第５〜７号証に基いて当業者が容易に想到し得たものであるとはいえない。
　そして、本件発明１は、この点により本件特許明細書記載の作用効果を奏するものである。
　したがって、本件発明１は、甲第５〜７号証を参酌したとしても、甲第１〜４号証に記載された発明に基づいて当業者が容易になし得た発明であると認めることはできない。
　
（本件発明２〜３について）
　本件発明２〜３は、本件発明１を直接的又は間接的に引用し、本件発明１をさらに技術的に限定したものであるから、上記本件発明１について述べたと同様の理由により、甲第５〜７号証を参酌したとしても、甲第１〜甲第４号証に記載された発明に基づいて当業者が容易になし得た発明であると認めることはできない。
　
（本件発明４について）
　本件発明４は、訂正前の請求項５に係る発明であり、発明特定事項である要件Ａ「原紙にコラーゲンを混合溶解した水分を与えながらカレンダー加工」することを要件として含むものである。
　そこで、検討するに、この点については、上記本件発明１で述べたとおり、甲第１〜７号証に記載も示唆もされておらず、また、甲第８号証には、カレンダー及びカレンダーロールについて（上記テ）記載されてはいるが、該発明特定事項である要件Ａについて何ら示唆されていない。
　そして、本件発明４は、この点により本件特許明細書記載の作用効果を奏するものである。
　したがって、本件発明４は、甲第１〜８号証に記載された発明に基づいて当業者が容易になし得た発明であると認めることはできない。
　
（本件発明５〜６について）
　本件発明５〜６は、本件発明４を直接的又は間接的に引用し、本件発明４をさらに技術的に限定したものであるから、上記本件発明４について述べたと同様の理由により、甲第１〜８号証に記載された発明に基づいて当業者が容易になし得た発明であると認めることはできない。
　
（５−２−２）［理由２］について
　異議申立人の、本件特許明細書は、特許法第３６条第４項及び同条第６項第２号に規定する要件を満たしていないとする主張の概要は、次のとおりである。
　
（ａ）訂正前の請求項１〜５及び７に記載の発明は、特許請求の範囲に記載されている発明と発明の詳細な説明との関係が不明確である。
　すなわち、本件発明の実施例と比較例（段落００２１〜００２３）とでは、箔打ち時に原紙とグラシン紙とを交互に重ね合わせているか（実施例）、原紙のみを重ね合わせているか（比較例）の点のみであるから、実施例の態様を包含するものは請求項６に係る発明のみであり、一方、実施例に比べて効果が劣るとされる比較例は他の請求項１〜５、７の態様をも包含するものである。
　したがって、本件請求項１〜５、７に係る発明においては、補助用シート状物を介装して叩打すること（請求項６の要件）が発明の効果を発揮するために必須なのか否かを理解することができないから、請求項１〜５及び７に係る発明は当業者が実施することができる程度に明確かつ十分に記載されておらず、また、特許を受けようとする発明が明確ではない。
　
（ｂ）本件明細書中には「堅い」の定義及び測定方法がなく、原紙より堅い補助用シート状物とはどのような性質を有するものか不明確であり、請求項６に記載された「堅い」の定義が不明確である。
　なお、実施例では「原紙より堅いグラシン・・・」と記載しているが、グラシン紙であれば全て堅いのか、それともグラシン紙の中で原紙よりも堅いものを使用するのかも理解できず、実施例レベルでも内容が不明確である。
　
　そこで、これらの主張（ａ）、（ｂ）について検討する。
　
（ａ）について
　訂正前の請求項１〜５及び７に記載の発明は、段落【０００７】〜【００１２】及び段落【００１８】〜【００１９】の記載から、その構成が当業者が実施できる程度に具体的であり、その目的・効果も段落【０００５】〜【０００６】及び段落【００２５】〜【００２７】の記載を参酌すれば明らかである。
　ところで、段落【００２１】記載の実施例は、訂正前の請求項６のみならず、訂正前の請求項１〜７に係る発明の下位概念に相当する発明を具体化したものと認められるから、上位概念に亘る全ての範囲の実施例が記載されてないことを以て、実施例が記載されていないとはいえない。
　また、段落【００２２】記載の比較例は、単に訂正前の請求項６に記載の発明の比較例として記載したものであり、訂正前の請求項１〜５及び７に記載の全ての発明の比較例として記載したものでないことは明らかである。
　してみると、訂正前の請求項１〜５及び７に記載の発明に対応する全ての比較例が記載されてないとしても、また、上記比較例（段落【００２２】）が訂正前の請求項１〜５及び７の態様をも包含するものであっても、上記のとおり訂正前の請求項１〜５及び７に記載の発明は、当業者が実施可能であって、その目的・効果も明らかである以上、本件明細書には、これら発明を当業者が実施することができる程度に明確かつ十分に記載され、また、特許を受けようとする発明が明確であると認められるから、このことのみを以て、特許請求の範囲に記載されている発明と発明の詳細な説明との関係が不明確であるとはいえない。　
　
（ｂ）について
　本件明細書中に「原紙より堅い補助用シート状物」における「堅い」についての直接的な定義・測定方法は記載されていない。
　しかしながら、出願時の技術常識を考慮すると共に、「原紙にこの原紙より堅い補助用シート状物を介装して叩くことにより、原紙の繊維の目を比較的簡単に、かつ確実に潰して柔軟性、平滑性を得ることができるとともに、堅い補助用シート状物との摩擦によって磨くようにすることができ」（段落【００１７】）、「原紙の間にこれより堅い補助用シート状物を挟んでいるので、原紙の繊維の目を簡単に、かつ確実に潰して柔軟性を得ることができるとともに、堅い補助用シート状物との摩擦により磨くようにして光沢（艶）を得ることができる。」（段落【００２０】）と記載され、また、実施例として「補助用シート状物として、上記原紙より堅いパルプ１００％のグラシンなど」（段落【００２１】）と記載されており、これらの記載に基づけば、「原紙」に対してどの程度の堅さの「補助用シート状物」を使用すればよいかは、当業者であれば理解し得ることであるから、前記「堅い」の定義が不明確であるともいえない。
　したがって、本件明細書中に「堅い」についての直接的な定義・測定方法が記載されていないことのみを以て、本件明細書に記載不備があるとはいえない。
　
　なお、異議申立人が提出した平成１６年３月４日付けの上申書及び添付した甲第９号証を検討したが、本件発明１〜６が、特許法第３６条に規定する要件を満たしていない特許出願に対してなされたものであるとも、また、特許法第２９条第２項の規定により特許を受けることができないものであるとも認めることができない。
　　　　
４．むすび
　以上のとおりであるから、特許異議の申立ての理由及び証拠によっては本件発明１〜６に係る特許を取り消すことはできない。
　また、他に本件発明１〜６に係る特許を取り消すべき理由を発見しない。
　よって、結論のとおり決定する。
【異議決定日】
平成１６年６月１７日（２００４．６．１７）
【訂正の要旨】
審決（決定）の【理由】欄参照。
（５４）【発明の名称】
脂取り紙およびその製造法
（５７）【特許請求の範囲】
　【請求項１】　
脂取り紙を構成する原紙がコラーゲンを混合溶解した水分を与えながらカレンダー加工されており、また、これらの原紙が所望枚数を一束として束面から叩かれている
　【請求項２】　所望の漉き模様を有する請求項１記載の脂取り紙。
　【請求項３】　脂取り紙を構成する原紙の原料成分が、植物繊維、動物繊維から選択され、必要に応じて無機質填料が添加される請求項１または請求項２記載の脂取り紙。
　【請求項
４
　【請求項
５
４
　【請求項
６
４
５
【発明の詳細な説明】
　【０００１】
　【発明の属する技術分野】
　本発明は、主として女性が化粧する際などに顔の脂を吸収させて取り除くために用いるのに適する脂取り紙およびその製造法に関する。
　【０００２】
　【従来の技術】
　従来，化粧用の脂取り紙として箔打ち紙が知られている。この箔打ち紙は、金箔を打ち延ばす際に金箔を挟む。そして、これらの所望枚数を一束として箔打ち機により束面から万遍なく繰り返して叩く。このとき、箔打ち紙はその繊維が砕けるほど叩かれることにより、柔軟性、平滑性、光沢が与えられる。箔打ち紙はこれら柔軟性、平滑性により脂の吸収性に優れていることがわかり，高品質の化粧用脂取り紙として使用されている。
　【０００３】
　しかしながら，このような化粧用脂取り紙は、箔打ちに使用した箔打ち紙の有効利用に過ぎず、自ら供給量に限界がある。また、近年、化粧用としてのみならず、清潔感等を得るために顔の脂分を取り除くために使用され、性別、年令の高低を問わず、使用者層が拡がる傾向にあり、多量の脂取り紙の提供が要望されている。
　【０００４】
　そこで、近年、箔を挟むことなく、原紙のみを束ねた状態で箔打ち機により叩いた脂取り紙が提供されている。
　【０００５】
　【発明が解決しようとする課題】
　しかしながら、このような脂取り紙は、原紙のみを用いているため、顔の脂分をある程度取り除くことはできるが、なお脂分の取り除き効果が十分であるとは言えず、しかも、肌を保護するなどの付加的機能を備えていない。また、箔打ち紙は原紙の製造時に格子、亀甲等の漉き模様を入れているが、上記脂取り紙には漉き模様が入っていないため，箔打ち紙のような高級感を得ることができない。また、原紙のみを束状に重ねて箔打ち機により叩いており、同じ種類の原紙同士が接触しているため、原紙の繊維が潰れ難く、しかも、光沢も得難い。したがって、柔軟性、平滑性等を得ることができないため、脂の吸収性が劣り、しかも、肌触りも劣り、箔打ち紙に比べて品質において数段劣る。
　【０００６】
　そこで、本発明は、コラーゲンが水との強い結合力を有し、優れた保湿効果を有することに着眼し、種々試験、研究した結果、原紙をカレンダー加工する際にコラーゲンを加えることにより効果的に含有させることができることを見出し、これに基づき、脂分を効果的に取り除くことができることは勿論のこと、肌の保湿による湿潤性、柔軟性等に役立てることもでき、したがって、付加機能を備えることができて商品価値を高めることができるようにした脂取り紙およびその製造法を提供し、また、上記目的に加え、所望の漉き模様を得ることができ、したがって、箔打ち紙と同様の外観を得ることができるようにした脂取り紙およびその製造法を提供し、また、箔打ち紙と同様の脂分の吸収性、光沢、肌触り等を得ることができ、したがって、箔打ち紙と同様の高品質を得ることができ、しかも、作業能率を向上させることができるようにした脂取り紙の製造法を提供することを目的とするものである。
　【０００７】
　【課題を解決するための手段】
　上記課題を解決するための本発明の脂取り紙は、コラーゲンを含有するものである。
　【０００８】
　上記課題を解決するための本発明の他の脂取り紙は、上記脂取り紙において、所望の漉き模様を有する原紙を用いたものてある。
　【０００９】
　そして、上記各脂取り紙において、脂取り紙を構成する原紙の原料成分として、植物繊維、動物繊維から選択し、必要に応じて無機質填料を添加することができ、また、原紙はカレンダー加工により平滑度を高めておくのが好ましい。
　【００１０】
　上記課題を解決するための本発明の脂取り紙の製造法は、原紙にコラーゲンを混合溶解した水分を与えながらカレンダー加工し、これらの原紙の所望枚数を一束として束面から叩くようにしたものである。
　【００１１】
　上記課題を解決するための本発明の他の脂取り紙の製造法は、上記製造法において、原紙を束面から叩く際に上記原紙にこの原紙より堅い補助用シート状物を介装したものである。
　【００１２】
　そして、上記各製造法において、原紙の原料を所望の漉き模様で漉き、乾燥させて原紙を形成することができる。
　【００１３】
　また、カレンダー加工に際し、コラーゲンを５％〜９５％含有する水分を与えることができる。コラーゲンが５％未満であると、含有量が少なく、その効能に乏しく、９５％を超えると、カレンダー加工の作業性に劣るので、コラーゲンを上記範囲で用いるのが好ましい。
　【００１４】
　コラーゲンは、グリシン、プロリン、オキシプロリン等の１８種類のアミノ酸で構成され、水溶性（可溶性）のコラーゲンは水との結合力が強く、優れた保湿性を有することにより、人の肌に保湿による湿潤性、柔軟性を与えることができる。このようなコラーゲンを含有する本発明の脂取り紙によれば、脂取り紙の平滑性、柔軟性により顔面等の脂を効果的に取り除くことができることは勿論のこと、肌の保湿による湿潤性、柔軟性等に役立てることができる。
　【００１５】
　また、所望の漉き模様を有する原紙を用いることにより、所望の漉き模様を有する脂取り紙を得ることができる。
　【００１６】
　また、本発明の脂取り紙の製造法によれば、カレンダー加工の際に原紙に与える水分にコラーゲンを混合溶解しておくことにより、原紙にコラーゲンを効果的に含有させることができる。
　【００１７】
　また、原紙にこの原紙より堅い補助用シート状物を介装して叩くことにより、原紙の繊維の目を比較的簡単に、かつ確実に潰して柔軟性、平滑性を得ることができるとともに、堅い補助用シート状物との摩擦によって磨くようにすることができ、箔打ち紙と同様の脂分の吸収性、光沢、肌触り等を得ることができる。
　【００１８】
　【発明の実施の形態】
　以下、本発明の実施形態について説明する。原紙の原料成分である植物繊維として、例えば、ガンピ、サンピ、パルプ、みつまた、マニラ麻等を用い、動物繊維として、例えば、絹繊維を用い、無機質填料として、例えば、泥を用いる。そして、従来の製紙方法と同様に、ガンピ、サンピ、パルプ、みつまた、マニラ麻、絹繊維等を単独で、若しくは所望の配合比で組み合わせて用い、必要に応じて泥をガンピ等１００部に対して５部〜５０部の配合比で添加し、紙の層の形成において異なったワイヤーパートを通し、それぞれについて従来の箔打ち紙で用いられている格子、亀甲など、所望の漉き模様を有するシリンダを通すことにより、異なった二層の紙を形成し、これをプレスロールにより合紙する。この二層からなる合紙をドライヤーパートに通過させることにより製紙する。ここで、ガンピ等に泥を添加することにより紙の平滑性等を高めることができるが、ガンピ等１００部に対して泥が５部未満であると平滑性等に劣り、５０部を超えると紙の品質を害するおそれがあり、したがって、５部〜５０部の間で選択するのが好ましい。
　【００１９】
　次に，上記のように所望の漉き模様を有する原紙に水分を与えながらカレンダーロールに通すことにより、平滑度を高める。上記水分として、豚の真皮層から抽出精製された天然可溶性コラーゲン、牛コラーゲンから抽出精製された天然水溶性コラーゲン等を５％〜９５％含有する水を含浸法、若しくは加湿法（水蒸気）により上記原紙に与え、コラーゲンを原紙に含有させる。
　【００２０】
　次に、上記原紙と、この原紙より堅い補助用シート状物とを例えば、２０ｃｍ以上の正方形、若しくは長方形に形成して交互に重ね合わせ，これら原紙および補助用シート状物の所望枚数、例えば、５００枚〜１０００枚程度を一束として箔打ち機により束面から万遍なく原紙の繊維が砕けるほど叩く。このとき、熱が発生するため、冷ましながら叩く作業を繰り返して行う。原紙の間にこれより堅い補助用シート状物を挟んでいるので，原紙の繊維の目を簡単に、かつ確実に潰しての柔軟性を得ることができるとともに，堅い補助用シート状物との摩擦により磨くようにして光沢（艶）を得ることができる。この工程を加えることにより、箔打ち紙と同様の脂の吸収性、光沢、肌触りを有する紙質を作り上げることができる。
　【００２１】
　【実施例】
　以下、本発明の実施例について説明する。従来の箔打ち紙と同様に、原紙の原料として、ガンピとマニラ麻を３０対７０の割合で用い、このガンピとマニラ麻１００部に対して泥を約２５部の配合比で添加した。上記原料成分により従来の箔打ち紙と同様の格子模様、若しくは亀甲模様となるようにそれぞれ上記のように二層漉きを行い、天然の水溶性コラーゲン（商品名「コラーゲンＰ」：新田ゼラチン株式会社製）を５％〜９５％の範囲で選択して含ませた水を原紙に与えながらカレンダー加工を行った。このようにして製造した原紙と、補助用シート状物として、上記原紙より堅いパルプ１００％のグラシンなどとを２０ｃｍ以上の正方形，若しくは長方形に形成して交互に重ね合わせ、５００枚〜１０００枚を一束として箔打ち機により大、小重さの異なるハンマーを使い分けて束面から万遍なく繰り返し叩いて脂取り紙を製造した。
　【００２２】
　比較例として，上記本発明実施例と同様の原紙のみを重ね合わせ，同様に，５００枚〜１０００枚を一束として上記本発明実施例と同様に叩いて脂取り紙を製造した。
　【００２３】
　上記本発明実施例の脂取り紙と上記比較例の脂取り紙と従来の箔打ち紙について複数の女性により顔の脂の吸収テストを行った結果、脂の吸収性、肌触りにおいて、従来の箔打ち紙が最も優れ、比較例の脂取り紙が最も劣り、本発明実施例の脂取り紙は比較例の脂取り紙より優れ、従来の箔打ち紙よりやや劣るものの、これに近い特性を有することがわかった。また，本発明実施例の脂取り紙において、優れた保湿性を有するコラーゲンを含有させることにより、顔面を拭いて顔面の脂を取り除いた状態で顔面に付着したコラーゲンにより顔面を保湿し、顔面の湿潤性、柔軟性等に役立つことも明らかである。
　【００２４】
　なお，上記実施例では，ガンピとマニラ麻を用いた場合について説明したが、このほか、みつまた、サンピ等を用いても同様の脂の吸収性、光沢、肌触り等が得られることは明らかである。
　【００２５】
　【発明の効果】
　以上要するに本発明によれば，保湿性に優れたコラーゲンを含有しているので、脂取り紙の平滑性、柔軟性等により顔面等の脂を効果的に取り除くことができることは勿論のこと、コラーゲンにより肌の保湿による湿潤性、柔軟性等に役立てることができ、したがって、付加機能を備えることができて商品価値を高めることができる。
　【００２６】
　また、所望の漉き模様を有する原紙を用いることにより，所望の漉き模様を有する脂取り紙を得ることができる。したがって，箔打ち紙と同様の外観を得ることができる。
　【００２７】
　また、本発明の脂取り紙の製造法によれば、カレンダー加工の際に原紙に与える水分にコラーゲンを混合溶解しておくことにより、原紙にコラーゲンを効果的に含有させることができる。
　【００２８】
　また、原紙にこの原紙より堅い補助用シート状物を介装して叩くので、原紙の繊維の目を比較的簡単に、かつ確実に潰しての柔軟性、平滑性を得ることができるとともに，堅い補助用シート状物との摩擦によって磨くようにすることができ、箔打ち紙と同様の脂分の吸収性、光沢、肌触りを得ることができる。したがって、箔打ち紙と同様の高品質を得ることができ、しかも、作業効率を向上させることができる。